(57)【要約】      （修正有）【課題】横置きでの使用に適した圧力式水位計を提供する。【解決手段】筒状の外観を呈し、一端側にセンサ受圧面５を有し、横置きで用いられる本体６と、本体６の一端側に基端部が着脱自在であるヘッド７とを具備し、ヘッド７の基端部を除いた部分の外面は、先端側に向かって尖り、底面部と、左右対称な二つの凹面部１１と、当該二つの凹面部１１の境界に位置する稜部１２とを有し、二つの凹面部１１及び稜部１２は、ヘッド７の先端から基端に向かうにつれて底面部から離れるように延び、かつ、その途中に段部１３を有し、この段部１３から当該ヘッド７の先端までの部位は、段部１３から当該ヘッド７の後端側に延びる部分よりも底面部となす角度がより鋭角となるように構成されている。【選択図】図２
0003207086.tif 000002
【実用新案登録請求の範囲】
【請求項１】
筒状の外観を呈し、一端側にセンサ受圧面を有し、横置きで用いられる本体と、
前記本体の前記一端側に基端部が着脱自在であるヘッドとを具備し、
前記ヘッドの前記基端部を除いた部分の外面は、先端側に向かって尖り、底面部と、左右対称な二つの凹面部と、当該二つの凹面部の境界に位置する稜部とを有し、
前記二つの凹面部及び稜部は、前記ヘッドの先端から基端に向かうにつれて前記底面部から離れるように延び、かつ、その途中に段部を有し、この段部から当該ヘッドの先端までの部位は、前記段部から当該ヘッドの後端側に延びる部分よりも前記底面部となす角度がより鋭角となるように構成されていることを特徴とする圧力式水位計。
【請求項２】
前記本体の他端側にも前記ヘッドが着脱自在に装着される請求項１に記載の圧力式水位計。
【請求項３】
前記本体の他端側には、コーン状のヘッドが着脱自在に装着される請求項１に記載の圧力式水位計。
【考案の詳細な説明】
【技術分野】
【０００１】
本考案は、例えば、下水管路を流れる下水の水位を計測するための圧力式水位計に関する。
【背景技術】
【０００２】
従来の圧力式（水圧式）水位計は、縦置き（鉛直方向に向けた状態）で用いられるタイプのものが殆どである。ところで、このタイプの水位計を、鉛直方向に向けた状態で、下水管路を流れる下水に浸してその水位を計測しようとすると、水流によって水位計に大きな力がかかることになるため、水位計を保持するには大掛かりな装置が必要となる。そこで、縦置きタイプの圧力式水位計を横置き（水平）にして用いることが考えられる
【考案の概要】
【考案が解決しようとする課題】
【０００３】
しかし、縦置きタイプの圧力式水位計を横置きにして用いると、センサ受圧面に、静水圧のみならず、水流による圧力（動水圧）もがかかり、これが誤差原因となる。
【０００４】
本考案は上述の事柄に留意してなされたもので、その目的は、横置きでの使用に適した圧力式水位計を提供することにある。
【課題を解決するための手段】
【０００５】
上記目的を達成するために、本考案に係る圧力式水位計は、筒状の外観を呈し、一端側にセンサ受圧面を有し、横置きで用いられる本体と、前記本体の前記一端側に基端部が着脱自在であるヘッドとを具備し、前記ヘッドの前記基端部を除いた部分の外面は、先端側に向かって尖り、底面部と、左右対称な二つの凹面部と、当該二つの凹面部の境界に位置する稜部とを有し、前記二つの凹面部及び稜部は、前記ヘッドの先端から基端に向かうにつれて前記底面部から離れるように延び、かつ、その途中に段部を有し、この段部から当該ヘッドの先端までの部位は、前記段部から当該ヘッドの後端側に延びる部分よりも前記底面部となす角度がより鋭角となるように構成されている（請求項１）。
【０００６】
上記圧力式水位計において、前記本体の他端側に前記ヘッドを着脱自在に装着してもよい（請求項２）。
【０００７】
上記圧力式水位計において、前記本体の他端側にコーン状のヘッドを着脱自在に装着してもよい（請求項３）。
【考案の効果】
【０００８】
本願考案では、横置きでの使用に適した圧力式水位計が得られる。
【０００９】
すなわち、本願の各請求項に係る考案の圧力式水位計では、本体（センサ受圧面）の上流側にヘッドが位置するように設置することにより、圧力式水位計に向かって流れてくる水を二つの凹面部により左右に分け、センサ受圧面に対する動水圧の影響を可及的に小さくすることができ、また、ヘッドを、段部よりも前側の部位をより鋭角にした前後二段構造として水流に対する前側の部位の接触角度を鋭角にし、水流への抵抗を低下させることも可能となっているため、横置きでの使用に適したものとなる。
【図面の簡単な説明】
【００１０】
【図１】本考案の一実施の形態に係る圧力式水位計の使用状態の構成を概略的に示す説明図である。
【図２】前記圧力式水位計の構成を概略的に示す斜視図である。
【図３】（Ａ）〜（Ｅ）は、前記圧力式水位計の流線型のヘッドの構成を概略的に示す側面図、正面図、平面図、背面図及び底面図である。
【図４】（Ａ）及び（Ｂ）は、前記圧力式水位計の流線型のヘッドの構成を概略的に示す斜め後ろから見た斜視図及び斜め上から見た斜視図である。
【図５】（Ａ）及び（Ｂ）は、前記圧力式水位計のコーン状のヘッドの構成を概略的に示す正面図及び側面図である。
【考案を実施するための形態】
【００１１】
本考案の実施の形態について図面を参照しながら以下に説明する。
【００１２】
本実施の形態に係る圧力式水位計１は、図１に示すように、縦断面円形の水路（例えば下水管路）２に設置されるマウント（取付台）３に取り付けられて用いられる。
【００１３】
まず、マウント３は、耐腐食性、防錆性を有する材料（例えばステンレス等の金属）で成形され、縦断面ほぼ円弧状で上部が切り欠かれた（開放された）形状を呈する。そして、マウント３は、縮径方向に弾性変形した状態で水路２内に挿入され、挿入後に拡径方向に働く復元力により水路２の内壁に圧接し、これにより、水路２に固定された状態となる。なお、マウント３を水路２から取り外すときには、両開放端から下側（内側）に向けて延びる二つの把持部４を用いて縮径方向に弾性変形させればよく、これにより、マウント３は水路２の内壁に着脱自在となっている。
【００１４】
そして、このマウント３の下部上面に圧力式水位計１が取り付けられる。圧力式水位計１は、図２に示すように、筒状の外観を呈し、一端側にセンサ受圧面５を有し、横置きで用いられる本体６と、本体６の一端側に基端部７ａが着脱自在である長さ８ｃｍ程度の流線型のヘッド７と、本体６の他端側に着脱自在である長さ３ｃｍ程度のコーン状のヘッド８（図５（Ａ）及び（Ｂ）も参照）とを具備し、ヘッド７を上流側に、ヘッド８を下流側に向けて設置される。
【００１５】
本体６は、図外の電池、メモリー、基盤、センサ等を収容し、ヘッド８を外して通信ケーブルを繋ぐことにより、データの送受信を行えるように構成されている。
【００１６】
図３（Ａ）〜（Ｅ）、図４（Ａ）及び（Ｂ）に示すように、ヘッド７の基端部７ａを除いた部分の外面は、先端側に向かって尖り、底面部９と、左右対称な二つの凹面部１０，１１と、二つの凹面部１０，１１の境界に位置する稜部１２とを有する。そして、二つの凹面部１０，１１及び稜部１２は、ヘッド７の先端から基端に向かうにつれて底面部９から離れるように延び、かつ、その途中に段部１３を有し、この段部１３からヘッド７の先端までの部位は、段部１３からヘッド７の後端側に延びる部分よりも底面部９となす角度がより鋭角となるように構成されている。
【００１７】
また、図３（Ｅ）に示すように、底面部９には、二つのねじ穴１４が設けられ、マウント３の下部を上下に貫く図外のねじ部材をねじ穴１４に螺着させることにより、ヘッド７ひいては圧力式水位計１はマウント３に取り付けられる。そして、マウント３に取り付けた状態の圧力式水位計１を水路２の内壁面に沿わせることができるように、ヘッド７の下面にはマウント３の肉厚に対応させた段差７ｂを設けてある（図３（Ａ）参照）。
【００１８】
さらに、本体６の両端にはそれぞれ図外の雄ねじが設けられており、図３（Ｄ）及び図４（Ａ）に示すように、ヘッド７の基端部には本体６の雄ねじに螺着可能な雌ねじ１５が設けられている。なお、同じくコーン状のヘッド８の基端部にも、本体６の雄ねじに螺着可能な雌ねじ（図示していない）が設けられている。
【００１９】
ここで、圧力式水位計１をその一端側（ヘッド７側）から見たときに、本体６及びヘッド８はヘッド７の陰に完全に隠れ、マウント３にねじ止めされた状態のヘッド７の雌ねじ１５から本体６の雄ねじを螺脱させる際、本体６やヘッド８が水路１の内壁面に干渉せず、これにより、ヘッド７をマウント３に取り付けた状態としたまま、このヘッド７に対して本体６及びヘッド８を着脱することができるように構成してある。
【００２０】
上記の構成からなる圧力式水位計１は、本体６（センサ受圧面５）の上流側に位置するヘッド７が、圧力式水位計１に向かって流れてくる水を二つの凹面部１０，１１により左右に分け、センサ受圧面５に対する動水圧の影響を可及的に小さくすることができ、また、ヘッド７を、段部１３よりも前側の部位をより鋭角にした前後二段構造として水流に対する前側の部位の接触角度を鋭角にし、水流への抵抗を低下させることも可能となっているため、横置きでの使用に適したものとなる。
【００２１】
なお、本考案は、上記の実施の形態に何ら限定されず、本考案の要旨を逸脱しない範囲において種々に変形して実施し得ることは勿論である。例えば、以下のような変形例を挙げることができる。
【００２２】
本体６の上流側に設けるヘッド７は、流速が大きくても流水を跳ね上げずに、センサ受圧面５の周囲の水をスムーズに流すことのできる形状としてあればよく、上記実施の形態に示した形状以外の形状をとらせてもよい。
【００２３】
本体６の下流側に設けるヘッド８は、センサ部に振動や疲労などの悪影響を及ぼすカルマン渦が発生し難い形状としてあればよく、これにより、負圧発生を減少し、流速のある流の中での精度向上に役立つのであり、上記実施の形態では、コーン状のヘッド８を用いているが、他の形状をとらせてもよく、例えば、本体６の一端側（上流側）のみならず他端側（下流側）にも流線型のヘッド７を着脱自在に装着するようにしてもよい。
【００２４】
マウント３は、図１に示す構成を有するものに限らず、種々の構成のマウントを使用可能である。すなわち、図１に示すマウント３は、直径２００〜４５０ｍｍ程度の小口径の水路２に適したものであり、水路２の直径や環境等に応じて適したマウント３を用いればよく、例えば、図１に示すマウントの二つの把持部４間にさらにターンバックルが設けられて把持部４間の間隔（開き加減）を調整可能に構成されたマウント（主として直径５００〜８００ｍｍの中口径の水路２に適したもの）や、矩形のプレート状で対角線上の二箇所がねじまたはアンカーで水路２の壁面に固定されるマウント（主として直径９００ｍｍ以上の大口径の水路２に適したもの）等を使用可能である。
【００２５】
なお、上記変形例どうしを適宜組み合わせてもよいことはいうまでもない。
【符号の説明】
【００２６】
１    圧力式水位計
２    水路
３    マウント
４    把持部
５    センサ受圧面
６    本体
７    ヘッド
７ａ  基端部
７ｂ  段差
８    ヘッド
９    底面部
１０    凹面部
１１    凹面部
１２    稜部
１３    段部
１４    ねじ穴
１５    雌ねじ
【図１】
0003207086.tif 000003
【図２】
0003207086.tif 000004
【図３】
0003207086.tif 000005
【図５】
0003207086.tif 000006
【図４】
0003207086.tif 000007